(57)【要約】【課題】ポケットを大きく膨らませることが可能であることで、厚さの大きい収容対象物をポケットに収容できるとともに、略同一寸法の収容対象物をポケットに収容した場合に、収容対象物をポケットから容易に引き出すことの可能な綴りシートを提供する。【解決手段】本発明の綴りシート６は、ファイル１の表表紙２と裏表紙３との間に綴られるものである。綴りシート６の下側範囲には、ポケット５が形成される。ポケット５は、左辺５ａと右辺５ｂと下辺５ｃとが閉じられ、開放された上辺５ｄからクリアホルダー７を収容可能なものである。ポケット５の高さＴ５は、綴りシート６の高さＴ６の１／３以上１／２以下である。ポケット５の左辺５ａと下辺５ｃとの角や、ポケットの右辺５ｂと下辺５ｃとの角には、内向きに凸となる切欠１０が形成される。【選択図】図６
2017043000.tif 000002
【特許請求の範囲】
【請求項１】
ファイルの表表紙と裏表紙との間に綴られる綴りシートであって、
前記綴りシートの下側範囲には、ポケットが形成されており、
前記ポケットは、左辺と右辺と下辺とが閉じられ、開放された上辺から収容対象物を収容可能なものであり、
前記ポケットの高さは、前記綴りシートの高さの１／３以上１／２以下であり、
前記ポケットの左辺と下辺との角や、前記ポケットの右辺と下辺との角には、内向きに凸となる第１の切欠が形成される綴りシート。
【請求項２】
前記ポケットの内幅は、２３０ｍｍ以上２５０ｍｍ以下である、請求項１に記載の綴りシート。
【請求項３】
前記綴りシートの高さは、３００ｍｍ以上３１３ｍｍ以下であり、
前記ポケットの高さは、１００ｍｍ以上１３０ｍｍ以下である請求項１又は２に記載の綴りシート。
【請求項４】
前記ポケットの前壁は、前記上辺となる線を折り目として、前記ポケットの内側に折り返された第１の折り返し部を備える、請求項１乃至３のいずれかに記載の綴りシート。
【請求項５】
前記ポケットには、前記右辺又は前記左辺となる折目線を介して前記ポケットの前壁に連設されているとともに、前記折目線を折目として、前記ポケットの後壁をなす前記綴りシートの本体部の背面側に折り返されて、当該綴りシートの本体部に接着された第２折り返し部が形成されている、請求項１乃至４のいずれかに記載の綴りシート。
【請求項６】
前記ポケットの前壁には、前記左辺の近傍又は前記右辺の近傍における前記上辺の位置に、内向きに凸となる第２の切欠が形成される請求項１乃至５のいずれかに記載の綴りシート。
【請求項７】
前記綴りシートの一方の側辺には、タブが突出するように形成されている請求項１乃至６のいずれかに記載の綴りシート。
【請求項８】
請求項１乃至７のいずれかに記載の綴りシートが、前記表表紙と前記裏表紙との間に綴られるファイルであって、
前記表表紙や前記裏表紙の幅は、２５７．５ｍｍ以上２８０ｍｍ以下であり、  
前記表表紙や前記裏表紙の高さは、３１５ｍｍ以上であるファイル。
【請求項９】
前記表表紙と前記裏表紙のうち一方に保持されて、前記表表紙と前記裏表紙とに掛け回されることで、前記表表紙及び前記裏表紙の開放を規制可能なゴム紐をさらに備える、請求項８に記載のファイル。
【発明の詳細な説明】
【技術分野】
【０００１】
クリアホルダーなどを収容可能なポケットが形成される綴りシート、及び当該綴りシートを備えるファイルに関する。
【背景技術】
【０００２】
従来、表表紙と裏表紙との間に、ポケット付きの綴りシートが綴じられるファイルが使用されている（例えば特許文献１）。この種のファイルとして、ポケットの左辺・右辺・下辺が溶着等で閉じられ、開放されたポケットの上辺から収容対象物をポケット内に収容可能なファイルや、綴りシートの寸法がＡ４等の規定の用紙サイズとほぼ一致し、この綴りシートの略全体にポケットが形成されるファイルがある。
【先行技術文献】
【特許文献】
【０００３】
【特許文献１】特開２０１０−２０１７２５号公報
【発明の概要】
【発明が解決しようとする課題】
【０００４】
ところで、上述したポケットの左辺・右辺・下辺が閉じられるファイルでは、これら３辺の拘束により、ポケットの膨らみが小さく制限され、これを要因として、わずかな数の用紙しかポケットに収容できない問題が生じ得る。また、綴りシートの略全体にポケットが形成されるファイルでは、綴りシートと同程度の大きさの用紙をポケットに収容した場合、用紙のほぼ全体がポケット内に収容される。このため、用紙を掴むことができず、ポケットから用紙を引き出すことが困難である。
【０００５】
本発明は、上記事項に鑑みてなされたものであって、その目的は、ポケットを大きく膨らませることが可能であることで、厚さの大きい収容対象物をポケットに収容できるとともに、略同一寸法の収容対象物をポケットに収容した場合に、収容対象物をポケットから容易に引き出すことの可能な綴りシート、及び当該綴りシートを備えるファイルを提供することである。
【課題を解決するための手段】
【０００６】
上記の課題を解決すべく、本発明の第１観点に係る綴りシートは、ファイルの表表紙と裏表紙との間に綴られる綴りシートであって、前記綴りシートの下側範囲には、ポケットが形成されており、前記ポケットは、左辺と右辺と下辺とが閉じられ、開放された上辺から収容対象物を収容可能なものであり、前記ポケットの高さは、前記綴りシートの高さの１／３以上１／２以下であり、前記ポケットの左辺と下辺との角や、前記ポケットの右辺と下辺との角には、内向きに凸となる第１の切欠が形成される。
【０００７】
好ましくは、前記ポケットの内幅は、２３０ｍｍ以上２５０ｍｍ以下である。
【０００８】
好ましくは、前記綴りシートの高さは、３００ｍｍ以上３１３ｍｍ以下であり、前記ポケットの高さは、１００ｍｍ以上１３０ｍｍ以下である。
【０００９】
好ましくは、前記ポケットの前壁は、前記上辺となる線を折り目として、前記ポケットの内側に折り返された第１の折り返し部を備える。
【００１０】
好ましくは、前記ポケットには、前記右辺又は前記左辺となる折目線を介して前記ポケットの前壁に連設されているとともに、前記折目線を折目として、前記ポケットの後壁をなす前記綴りシートの本体部の背面側に折り返されて、当該綴りシートの本体部に接着された第２折り返し部が形成されている。
【００１１】
好ましくは、前記ポケットの前壁には、前記左辺の近傍又は前記右辺の近傍における前記上辺の位置に、内向きに凸となる第２の切欠が形成される。
【００１２】
好ましくは、前記綴りシートの一方の側辺には、タブが突出するように形成されている。
【００１３】
本発明の第２観点に係るファイルは、前記綴りシートが、前記表表紙と前記裏表紙との間に綴られるファイルであって、前記表表紙や前記裏表紙の幅は、２５７．５ｍｍ以上２８０ｍｍ以下であり、前記表表紙や前記裏表紙の高さは、３１５ｍｍ以上である。
【００１４】
好ましくは、前記ファイルは、前記表表紙と前記裏表紙のうち一方に保持されて、前記表表紙と前記裏表紙とに掛け回されることで、前記表表紙及び前記裏表紙の開放を規制可能なゴム紐をさらに備える。
【発明の効果】
【００１５】
本発明によれば、ポケットの高さが、綴りシートの高さの１／３以上１／２以下であることで、綴りシートと同程度の大きさの収容対象物をポケットに収容した場合、当該収容対象物の少なくとも半分の範囲がポケットから延び出る。このため、収容対象物を掴むことができるので、ポケットから収容対象物を容易に引き出すことができる。
【００１６】
また、ポケットの左辺と下辺との角や、ポケットの右辺と下辺との角に、第１の切欠が形成されることで、ポケットに大きな膨らみを生じさせることができる。したがって、数多くの用紙を挟み込んだクリアホルダーなど、厚さの大きな収容対象物を、ポケットに収容できる。
【図面の簡単な説明】
【００１７】
【図１】本発明の実施形態に係るファイルの表側を示す斜視図である。
【図２】本発明の実施形態に係るファイルの裏側を示す斜視図である。
【図３】本発明の実施形態に係るファイルの裏側を示す斜視図である。
【図４】本実施形態に係るファイルに収容可能なクリアホルダーを示す平面図である。
【図５】本実施形態に係るファイルが開いた状態を示す平面図である。
【図６】本実施形態に係るファイルにクリアホルダーが収容された状態を示す平面図である。
【図７】図５及び図６に示す綴りシートを製造するためのシート材を示す平面図である。
【図８】切欠を拡大して示す平面図である。
【図９】本発明の変形例のファイルを示す平面図である。
【図１０】本発明の変形例のファイルを示す平面図である。
【図１１】本発明の変形例のファイルを示す平面図である。
【図１２】図１１に示す綴りシートを製造するためのシート材を示す平面図である。
【図１３】切欠の変形例を拡大して示す平面図である。
【図１４】切欠の変形例を拡大して示す平面図である。
【発明を実施するための形態】
【００１８】
以下、本発明の実施形態について、添付図面を参照しながら説明する。図１〜図３は、本発明の実施形態に係るファイル１を示す斜視図である。図１は、ファイル１の表側を示し、図２や図３は、ファイル１の裏側を示す。図４は、本実施形態に係るファイル１に収容可能なクリアホルダー７を示す平面図である。図５は、本実施形態に係るファイル１が開いた状態を示す平面図である。図６は、本実施形態に係るファイル１にクリアホルダー７が収容された状態を示す平面図である。
【００１９】
本実施形態に係るファイル１は、図４に示すクリアホルダー７を収容することを主な目的として形成されたものである。クリアホルダー７は、合成樹脂シートを折り重ねて、当該折り重ねた合成樹脂シートの下端部７ａを溶着したものである。このクリアホルダー７は、幅Ｈ７が２２０ｍｍ、高さＴ７が３１０ｍｍであり、Ａ４版の用紙（幅２１０ｍｍ 高さ２９７ｍｍミリの用紙）を挟み込むことができる。
【００２０】
図１〜図３に示すように、本実施形態に係るファイル１は、表表紙２や裏表紙３や背表紙９を備える表紙カバー４と、表表紙２や裏表紙３の間に綴られる複数の綴りシート６とを備えるものであって、後述する綴りシート６のポケット５にクリアホルダー７を保持することができる（図６参照）。
【００２１】
表紙カバー４は、樹脂からなる板材が折り曲げられたものであり、表表紙２と裏表紙３とが背表紙９を介して連設されている（図中の符号２ａ，２ｂ，２ｃ，２ｄは、それぞれ表表紙２の自由端・上端縁・下端縁・固定端を示し、図中の符号３ａ，３ｂ，３ｃ，３ｄは、それぞれ裏表紙３の自由端・上端縁・下端縁・固定端を示している）。表表紙２や裏表紙３は、クリアホルダー７よりも大きな寸法を有するものであり、表表紙２の幅Ｈ２や、裏表紙３の幅Ｈ３は、２５７．５ｍｍ以上２８０ｍｍ以下であり、表表紙２の高さＴ２や、裏表紙３の高さＴ３は、３１５ｍｍ以上である。
【００２２】
裏表紙３には、表表紙２及び裏表紙３の開放を規制可能なゴム紐１２が保持されている。すなわち図２や図３に示すように、裏表紙３には、その自由端３ａの近傍に穴１３が形成され、上端縁３ｂの近傍に穴１４が形成されている。そして、この穴１３や穴１４に、それぞれゴム紐１２の一端部１２ａや他端部１２ｂを挿通した後、鳩目１５，１６を穴１３，１４に取り付けることで、ゴム紐１２が鳩目１５，１６に保持されている。図１や図２に示すように、ゴム紐１２は、表表紙２や裏表紙３の自由端２ａ，３ａや上端縁２ｂ，３ｂを跨ぐように、表表紙２や裏表紙３に掛け回すことが可能なものであり、このようにゴム紐１２が表表紙２や裏表紙３に掛け回されることで、表表紙２及び裏表紙３の開放を規制し、綴りシート６に保持されたクリアホルダー７が落下することを防止できる。そして図３に示すように、表表紙２や裏表紙３へのゴム紐１２の掛け回しを解除することで、図５や図６に示すように、表表紙２及び裏表紙３を開放することができる。
【００２３】
なお上述のように裏表紙３の自由端３ａや上端縁３ｂの近傍に穴１３，１４を形成することの代わりに、裏表紙３の上端縁３ｂや下端縁３ｃの近傍に穴を形成し、これらの穴に取り付けた鳩目にゴム紐１２の一端部１２ａ・他端部１２ｂを保持させてもよい。この場合、ゴム紐１２が上端縁２ｂ，３ｂや下端縁２ｃ，３ｃを跨るように、ゴム紐１２を表表紙２や裏表紙３に掛け回すことで、表表紙２及び裏表紙３の開放を規制し、綴りシート６に保持されるクリアホルダー７が落下することを防止できる。或いは、裏表紙３の自由端３ａや固定端３ｄの近傍に穴を形成し、これらの穴に取り付けた鳩目にゴム紐１２の一端部１２ａ・他端部１２ｂを保持させてもよい。この場合、ゴム紐１２が自由端２ａ，３ａや固定端２ｄ，３ｄを跨るように、ゴム紐１２を表表紙２や裏表紙３に掛け回すことで、表表紙２及び裏表紙３の開放を規制することができる。なお必ずしも、上述のように裏表紙３の穴に鳩目を取り付ける必要はなく、例えば、裏表紙３の穴に通したゴム紐１２の一端部１２ａと他端部１２ｂとを結ぶことで、裏表紙３にゴム紐１２を保持させてもよい。或いは、裏表紙３の穴に通したゴム紐１２の一端部１２ａ及び他端部１２ｂを、それぞれ団子結びにして穴から抜けないようにすることで、ゴム紐１２を裏表紙３に保持させてもよい。また必ずしも、上述のように裏表紙３にゴム紐１２を保持させる必要はなく、上記と同様の方法で、表表紙２にゴム紐１２を保持させてもよい。
【００２４】
表表紙２や裏表紙３の間に綴られる綴りシート６は、図７に示すシート材２０から形成される。このシート材２０は、例えば不透明なポリプロピレン等を材料とするものであって、本実施形態では、一枚のシート材２０から２つの綴りシート６，６が形成される（図５や図６は、１枚のシート材２０から得られる２つの綴りシート６，６を示している）。これら２つの綴りシート６，６は、シート材２０の中央線２１を境界とするものであって、この中央線２１に沿う部分が表紙カバー４の背表紙９に溶着されることで、表紙カバー４と一体にされる。中央線２１の反対側にある各綴りシート６の側辺６ａには、タブ８が突出するように形成される。このタブ８は、マジックで文字を記入したり、シールを貼り付けることが可能なものである。
【００２５】
綴りシート６の各々は、それぞれ３００ｍｍ以上３１３ｍｍ以下の高さＴ６を有する。この高さＴ６（３００ｍｍ以上３１３ｍｍ以下）は、クリアホルダー７の高さＴ７（３１０ｍｍ）と同程度である。
【００２６】
各綴りシート６の下側範囲には、ポケット５が形成される（ポケット５は、綴りシート６の片面に形成されるものであって、図５，図６では、右側の綴りシート６で、ポケット５が形成される面が示されている）。ポケット５は、左辺５ａと右辺５ｂと下辺５ｃとが閉じられ、開放された上辺５ｄから、クリアホルダー７等を収容可能なものである。ポケット５は、綴りシート６の製造に用いるシート材を、折り重ねて溶着することで形成される。ポケット５の左辺５ａや右辺５ｂは、重ね合わせたシート材の溶着部によって構成される。ポケット５の下辺５ｃは、シート材の折目から構成される。
【００２７】
ポケット５の内幅Ｈ５は、２３０ｍｍ以上２５０ｍｍ以下である（ポケット５の内幅Ｈ５は、ポケット５の全幅から、右辺５ｂや左辺５ａの溶着部の幅を除いた幅である）。このポケット５の内幅Ｈ５（２３０ｍｍ以上２５０ｍｍ以下）は、クリアホルダー７の幅Ｈ７（２２０ｍｍ）よりも若干大きなものである。
【００２８】
ポケット５の高さＴ５は、綴りシート６の高さＴ６の１／３以上１／２以下に設定される。例えば上述のように、綴りシート６の高さＴ６が３００ｍｍ以上３１３ｍｍ以下とされる場合には、ポケット５の高さＴ５は、１００ｍｍ以上１３０ｍｍ以下に設定される。このポケット５の高さＴ５（１００ｍｍ以上１３０ｍｍ以下）は、クリアホルダー７の高さＴ７（３１０ｍｍ）の１／３程度に相当する。
【００２９】
ポケット５の左辺５ａと下辺５ｃとの角や、ポケット５の右辺５ｂと下辺５ｃとの角には、それぞれ切欠１０が形成される。
【００３０】
図８は、図５のＡ範囲の拡大図であり、切欠１０を拡大して示している。切欠１０は、ポケット５に膨らみを生じさせるためのものであって、内向きに凸となる形状を呈する。図８に示す例では、ポケット５に大きな膨らみを生じさせるために、切欠１０の輪郭は、略四分一円弧状を呈しており、その両端１０ａ，１０ｂがなだらかに湾曲している。なお、上述した切欠１０が内向きに凸となる形状を呈するとは、切欠１０の輪郭が、左辺５ａや右辺５ｂや下辺５ｃの延長線よりも内側に位置することを意味する（図８では、切欠１０の輪郭が、右辺５ｂの延長線５０ｂや、下辺５ｃの延長線５０ｃよりも、内側に位置した状態を示している）。
【００３１】
上述したポケット５付きの綴りシート６は、以下に示す工程が順次実行されることで形成される。
【００３２】
まず、図７に示すシート材２０を、金型を用いて成形する。シート材２０は、その左領域２２と右領域２３とによって、それぞれポケット５付きの綴りシート６を形成可能なものである。左領域２２と右領域２３とは、シート材２０の幅方向の中央線２１を境界とする左側・右側の領域である。左領域２２や右領域２３の幅Ｈ６０は、ポケット５の内幅Ｈ５（２３０ｍｍ以上２５０ｍｍ以下）と、ポケット５の右辺５ｂや左辺５ａの溶着部の幅とを合計した長さに一致する（左領域２２や右領域２３の幅Ｈ６０は、タブ８を除く幅である）。
【００３３】
シート材２０の下側には、中央線２１に沿って延びるスリット２４が形成されており、このスリット２４によって、左領域２２の下側部分２２ａと、右領域２３の下側部分２３ａとが分断されている。図７の符号２５は、スリット２４の上端を通過するように、シート材２０の幅方向に延びる折目線を示しており、下側部分２２ａ，２３ａは、折目線２５よりも下側に位置する部分に相当する。
【００３４】
左領域２２の下側部分２２ａや、右領域２３の下側部分２３ａは、それぞれポケット５の前壁となるものである。これら下側部分２２ａ，２３ａの高さＴ５０は、ポケット５の高さＴ５に対応するものであり、１００ｍｍ以上１３０ｍｍ以下の長さを有する。
【００３５】
左領域２２の上側部分２２ｂや、右領域２３の上側部分２３ｂは、それぞれ綴りシート６の本体部（ポケット５の後壁と、ポケット５の上側に延び出る綴りシート６の上側範囲とを構成する部分）となるものである。これら上側部分２２ｂ，２３ｂの高さＴ６０は、綴りシート６の高さＴ６に対応するものであり、３００ｍｍ以上３０３ｍｍ以下の長さを有する。
【００３６】
上述のシート材２０が準備された後では、折目線２５を折目として、下側部分２２ａを図７の奥側に折り返して上側部分２２ｂに重ね合わせる。また、折目線２５を折目として、下側部分２３ａを図７の手前側に折り返して上側部分２３ｂに重ね合わせる。これにより、左領域２２や右領域２３のそれぞれにおいて、折目線２５が下辺５ｃとなったポケット５の前壁が構成される。また、下側部分２２ａの両側縁における折目線２５の位置や、下側部分２２ｂの両側縁における折目線２５の位置には、それぞれ略半円状の凹み２６が形成されている。上述のように下側部分２２ａ，２３ａを折り返すことに伴い、これら凹み２６が半折にされることで、略四分円弧状の切欠１０が形成される。
【００３７】
ついで、折り返した下側部分２２ａ，２３ａの左辺及び右辺を、それぞれ上側部分２２ｂ，２３ｂの左辺及び右辺に溶着する（この溶着は、超音波溶着或いは熱溶着によって行われる）。これにより、左領域２２や右領域２３の各々において、左辺５ａ・右辺５ｂ・下辺５ｃが閉じて、上辺５ｄが開放されたポケット５付きの綴りシート６が形成される。
【００３８】
本実施形態によれば、ポケット５の高さＴ５が、綴りシート６の高さＴ６の１／３以上１／２以下であるため、上述したＡ４用のクリアホルダー７など、綴りシート６と同程度の大きさの収容対象物をポケット５に収容した場合、当該収容対象物の少なくとも半分の範囲がポケット５から延び出る。このため、収容対象物を掴むことができるので、ポケット５から収容対象物を容易に引き出すことができる。
【００３９】
また、ポケット５の左辺５ａと下辺５ｃとの角や、ポケット５の右辺５ｂと下辺５ｃとの角に、切欠１０が形成されることで、ポケット５に大きな膨らみを生じさせることができる。したがって、数多くの用紙を挟み込んだクリアホルダー７など、厚さの大きな収容対象物を、ポケット５に収容できる（ポケット５の膨らみは、切欠１０の寸法や形状に応じて変わるものであり、切欠１０の寸法や形状が適宜調整されることで、２０枚程度のコピー用紙を挟んだクリアホルダー７をポケット５に収容できる）。
【００４０】
さらに、ポケット５の内幅Ｈ５（２３０ｍｍ以上２５０ｍｍ以下）が、Ａ４用のクリアホルダー７の幅Ｈ７（２２０ｍｍ）よりも大きいことで、Ａ４用のクリアホルダー７をポケット５に収容できる。
【００４１】
また、綴りシート６の高さＴ６（３００ｍｍ以上３１３ｍｍ以下）が、クリアホルダー７の高さＴ７（３１０ｍｍ）と同程度であることで、クリアホルダー７のほぼ高さ全体を綴りシート６に沿わせることができる。このため、クリアホルダー７が撓んだり折れ曲がることを防止できる。よって、クリアホルダー７に挟み込まれた用紙に、しわや折れ目が生じることを防止できる。
【００４２】
また、ポケット５の高さＴ５（１００ｍｍ以上１３０ｍｍ以下）が、クリアホルダー７の高さＴ７（３１０ｍｍ）の１／３程度であることで、クリアホルダー７がポケット５から脱落することを防止できる。さらに、クリアホルダー７の２／３程度の範囲がポケット５から延び出ることから、クリアホルダー７をポケット５に収容したまま、クリアホルダー７をめくって、クリアホルダー７に挟んだ書類を確認できる。
【００４３】
また、表表紙２や裏表紙３の高さＴ２，Ｔ３（３１５ｍｍ以上）が、クリアホルダー７の高さＴ７（３１０ｍｍ）よりも大きく、表表紙２や裏表紙３の幅Ｈ２，Ｈ３（２５７．５ｍｍ以上２８０ｍｍ以下）が、クリアホルダー７の幅Ｈ７（２２０ｍｍ）よりも大きいことで、クリアホルダー７の全体を表表紙２と裏表紙３との間に挟み込むことができる。したがって、クリアホルダー７が表表紙２や裏表紙３の外側に延び出ることを防止できる。
【００４４】
また、綴りシート６の側辺６ａに、タブ８が突出するように形成されていることで、このタブ８に、綴りシート６に保持される収容物（クリアホルダー７等）に関する情報を記入したり、当該情報を示すシールを貼り付けておくことで、目当ての収容物を容易に探し出すことができる。
【００４５】
なお、本発明は、上記実施形態に限定されず、種々改変することができる。
【００４６】
例えば図９に示すように、ポケット５の前壁は、上辺５ｄとなる線を折目として、ポケット５の内側に折り返される折り返し部２０を備えるものであってよい。この場合には、折り返し部２０の復元力によって、常にポケット５の上辺５ｄに隙間が生じる。このため、クリアホルダー７を容易にポケット５に挿入できる。また、クリアホルダー７がポケット５に収容された状態では、折り返し部２０がクリアホルダー７を押さえ付ける。このため、クリアホルダー７がポケット５に収容された状態を確実に維持できる。
【００４７】
また図１０に示すように、ポケット５の前壁には、左辺５ａや右辺５ｂの近傍における上辺５ｄの位置に、内向きに凸となる切欠３０が形成されてもよい（切欠３０が内向きに凸となる形状を呈することは、切欠３０の輪郭が、上辺５ｄの延長線よりも下側に位置することを意味する）。このようにすることで、クリアホルダー７をポケット５から出し入れする際や、クリアホルダー７をめくる際に、クリアホルダー７からポケット５に加えられる負荷を、切欠３０によってポケット５の左側部分や右側部分に伝えないようにすることができる。このため、ポケット５の左側部分や右側部分が破れることが防止される。なお図１０は、図９と同様、折り返し部２０をポケット５の前壁に形成する例を示しており、折り返し部２０は、右側の切欠３０と左側の切欠３０との間に位置している。なお図１０のように必ずしも２つの切欠３０を設ける必要はなく、ポケットの右側部分と左側部分のうち、いずれか一方が他方に比べて、クリアホルダー７から加えられる負荷が大きくなると想定される場合には、１つの切欠３０を、左辺５ａの近傍又は右辺５ｂの近傍における上辺５ｄの位置に設けるようにしてもよい。
【００４８】
また図１１に示すように、ポケット５の形状が変形されてもよい。図１１に示すポケット５は、右辺５ｂとなる折目線を介して、ポケット５の前壁に連設される折り返し部３５（図１１の３５Ａ，３５Ｂ）を備えており、当該折り返し部３５は、右辺５ｂの折目線を折目として、ポケット５の後壁をなす綴りシート６の本体部の背面側に折り返されて、当該綴りシート６の本体部に接着されている。図１１の例によれば、折り返し部３５によってポケット５の右側部分を補強できる。このため、クリアホルダー７をポケット５から出し入れする際や、クリアホルダー７をめくる際に、クリアホルダー７から加えられる負荷で、ポケット５の右側部分が破れることが防止される。
【００４９】
なお図１１に示す折り返し部３５を形成する場合には、図１２に示すシート材４０を用いて綴りシート６が形成される。図１２のシート材４０は、図７のシート材２０に対して、折り返し部３５Ａ，３５Ｂを追加したものである。折り返し部３５Ａは、下側部分２２ａから左側に突出するものであって、下側部分２２ａと折目線４３を介して連設されている。折り返し部３５Ｂは、下側部分２３ａから右側に突出するものであって、下側部分２３ａと折目線４４を介して連結されている。
【００５０】
そして上記のシート材４０を用いて以下の工程が順次実行されることで、図１１に示す綴りシート６が形成される。
【００５１】
まず、折目線２５を折目として下側部分２２ａを図１２の奥側に折り返し、折目線２５を折目として下側部分２３ａを図１２の手前側に折り返し、下側部分２２ａ，２３ａをそれぞれ上側部分２２ｂ，２３ｂに重ね合わせる。
【００５２】
ついで、折目線４３を折目として折り返し部３５Ａを図１２の手前側に折り返し、折目線４４を折目として折り返し部３５Ｂを図１２の奥側に折り返し、折り返し部３５Ａ，３５Ｂをそれぞれ上側部分２２ａ，２３ａに重ね合わせる。
【００５３】
ついで、折り返し部３５Ａと上側部分２２ｂとを溶着し、折り返し部３５Ｂと上側部分２３ｂとを溶着する。以上の工程により、折り返し部３５Ａが後壁に接着されたポケット５を備える綴りシート６や、折り返し部３５Ｂが後壁に接着されたポケット５を備える綴りシート６が形成される。なおポケット５をより補強すべく、折り返し部３５Ａを上側部分２２ｂ・下側部分２２ａの双方に溶着し、折り返し部３５Ｂを上側部分２３ｂ・下側部分２３ａの双方に溶着してもよい。
【００５４】
また図５や図６や図９や図１０や図１１では、ポケット５の左辺５ａと右辺５ｂとが互いに平行に直線状に延び、ポケット５の下辺５ｃと上辺５ｄとが互いに平行に直線状に延びる例を示しているが、必ずしも左辺５ａ・右辺５ｂや下辺５ｃ・上辺５ｄを平行にする必要はない。すなわち、左辺５ａ・右辺５ｂの一方や、下辺５ｃ・上辺５ｄの一方は、他方に対して傾斜して延びていてもよく、左辺５ａ・右辺５ｂ・下辺５ｃ・上辺５ｄは、湾曲・屈曲するように延びてもよい。このように左辺５ａ・右辺５ｂ・下辺５ｃ・上辺５ｄを傾斜・湾曲・屈曲させる場合には、上辺５ｄの最も高い位置と、下辺５ｃの最も低い位置との間の高さが、上述したポケット５の高さＴ５に相当して、１００ｍｍ以上１３０ｍｍ以下に設定される。また、左辺５ａの最も内側の位置と、右辺５ｂの最も内側の位置との間の幅が、上述したポケット５の内幅Ｈ５に相当して、２３０ｍｍ以上２５０ｍｍ以下に設定される。
【００５５】
また切欠１０の形状は、図８に示す形状に限らず、内向き凸となる種々の形状にすることができる。例えば図１３に示すように、切欠１０は多角形を呈していてもよく、或いは図１４に示すように、切欠１０は、その輪郭がＳ字状に湾曲するものであってもよい。図１３や図１４に示すように切欠１０が形成されても、ポケット５に膨らみを生じさせることができる。
【００５６】
さらに上記では、シート材２０，４０（図７，図１２）の下側部分を折り返し溶着することで、ポケット５を形成する例を示したが、ポケット５を形成する方法はこれに限られない。例えば、ポケット５の前壁を形成するための第１シート材と、綴りシート６の本体部（ポケット５の後壁や、ポケット５の上方に延び出る綴りシート６の上側範囲をなす部分）を形成するための第２シート材とを別々に準備し、第１のシート材の右辺・左辺・下辺を第２シート材に溶着してもよい。このようにしても、右辺・左辺・下辺が閉じ、上辺が開放されたポケット５を形成できる。
【００５７】
また、ポケット５の左側部分又は右側部分を補強するために、上述の第１シート材には、その左側又は右側に突出する突出片を形成することができる。この場合、第１のシート材の右辺・左辺・下辺を第２シート材に溶着した後、第１のシート材の右辺又は左辺を折目として、突出片を第２シート材の背面側に折り返して、第２シート材に溶着する。このようにすることで、ポケット５の左側又は右側を補強する折り返し部が形成される。この折り返し部は、ポケット５の右辺又は左辺となる折目線を介して、ポケット５の前壁に連設されているとともに、前記折目線を折目として、ポケット５の後壁をなす綴りシート６の本体部の背面側に折り返されて、当該綴りシート６の本体部に接着されたものである。
【００５８】
さらに重ね合わせたシート材を接着する方法も、上述の溶着に限られず、例えば、接着材を用いて重ね合わせたシート材を接着してもよい。
【００５９】
また上記では、綴りシート６を製造するためのシート材が、不透明なポリプロピレンから形成される例を示したが、シート材は透明な材料から形成されてもよい。なお上記の例のように、シート材を不透明な材料から形成しておけば、透明なクリアホルダー７がポケット５に収容された場合に、クリアホルダー７と綴りシート６との境目が認識しやすくなる。
【００６０】
また上記では、ポケット５にクリアホルダー７を収容する例を説明したが、言及するまでもなく、ポケット５に収容可能な収容対象物はクリアホルダー７に限定されず、ポケット５には、その内幅Ｈ５よりも幅の小さなあらゆる用紙や冊子等を収容できる。
【符号の説明】
【００６１】
１  ファイル
２  表表紙
３  裏表紙
５  ポケット
５ａ  左辺
５ｂ  右辺
５ｃ  下辺
５ｄ  上辺
６  綴りシート
６ｂ  綴りシートの一方の側辺
７  クリアホルダー
８  タブ
１０  切欠（第１の切欠）
１２  ゴム紐
２０  折り返し部（第１の折り返し部）
３０  切欠（第２の切欠）
３５  折り返し部（第２の折り返し部）
Ｈ２  表表紙の幅
Ｈ３  裏表紙の幅
Ｈ５  ポケットの内幅
Ｔ２  表表紙の高さ
Ｔ３  裏表紙の高さ
Ｔ５  ポケットの高さ
Ｔ６  綴りシートの高さ
【図１】
2017043000.tif 000003
【図２】
2017043000.tif 000004
【図３】
2017043000.tif 000005
【図４】
2017043000.tif 000006
【図５】
2017043000.tif 000007
【図６】
2017043000.tif 000008
【図７】
2017043000.tif 000009
【図８】
2017043000.tif 000010
【図９】
2017043000.tif 000011
【図１０】
2017043000.tif 000012
【図１１】
2017043000.tif 000013
【図１２】
2017043000.tif 000014
【図１３】
2017043000.tif 000015
【図１４】
2017043000.tif 000016